(57)【要約】【課題】冷凍・冷却した状態の保冷具と、適度に冷やした飲料を充填した飲料容器とを一体に携行することを可能にし、以て、夏季の外出時や野外活動等に際し、１つの保冷具で身体の冷却と水分補給とを行うことができ、また、保冷具と冷凍ないし冷却された飲料容器とが相互補足的に冷却し合うことを可能にし、以て、保冷具並びに飲料容器の冷却性の長時間保持を可能にする飲料容器を備えた保冷具を提供することを課題とする。【解決手段】冷凍・冷却して用いる保冷剤４を収納する保冷剤収納部２と、冷やして飲む飲料の飲料容器５を収納・保持する飲料容器収納・保持部３とを一体に備える。一実施形態においては、保冷剤収納部２と飲料容器収納・保持部３は、１つの袋状体１を区分けして配備される。【選択図】図１
2018035978.tif 000002
【特許請求の範囲】
【請求項１】
冷凍・冷却して用いる保冷剤を収納する保冷剤収納部と冷やして飲む飲料の飲料容器を収納・保持する飲料容器収納・保持部とを一体に備えていることを特徴とする保冷具。
【請求項２】
前記保冷剤収納部と前記飲料容器収納・保持部は、１つの袋状体を区分けして配備される、請求項１に記載の飲料容器を備えた保冷具。
【請求項３】
前記飲料容器収納・保持部は前記保冷剤収納部の裏面に配設された袋部である、請求項１に記載の飲料容器を備えた保冷具。
【請求項４】
前記飲料容器収納・保持部は前記保冷剤収納部の裏面に配設された抱持バンドである、請求項１に記載の飲料容器を備えた保冷具。
【発明の詳細な説明】
【技術分野】
【０００１】
本発明は、保冷具に関するものであり、より詳細には、冷凍又は冷却して用いる保冷具と冷やして（冷凍又は冷却して）飲食する飲食料の容器とを一体に備えた、飲食料容器を備えた保冷具に関するものである。なお、本発明における飲食料容器には、清涼飲料や経口補水液等の液体飲料が収納される場合と、パウチゼリー等のゼリー状飲食品が収納される場合とがあるが、以下の説明においては、簡略化のために飲食料容器を単に飲料容器とし、飲食料を単に飲料とする。
【背景技術】
【０００２】
夏季の外出時や野外活動、野外スポーツ等の際の暑さ対策や、発熱時の解熱対策として、不凍液やゲル化剤等を密封した冷却具が用いられている。この冷却具は、使用に備えて、通例、冷蔵庫の冷凍室内において冷凍又は冷却状態にされる。この種冷却具には種々の形態のものがあり、例えば、手で押えて頭部や首部に当てて使用するものや、頭部や首部に巻き付けて使用するもの等があるが、いずれの形態のものも、基本的には、単に頭部や首部の冷却機能を有するに過ぎないものである。
【０００３】
一方、特に夏季の外出時や野外活動、野外スポーツ等の際には水分補給が不可欠となるので、ペットボトル飲料等を持ち歩くことになる。しかし、ペットボトル飲料の場合は、その冷却状態を保持することができないため、次第に冷たさが失われていく。また、ペットボトル飲料は上記冷却具とは別体であるため、別に携行する必要がある。
【先行技術文献】
【特許文献】
【０００４】
【特許文献１】特開２０１３−１１６２８３号公報
【特許文献２】特開２０１０−１７４３９７号公報
【発明の概要】
【発明が解決しようとする課題】
【０００５】
上述したように、従来の冷却具は、単に冷凍・冷却して頭部や首部を冷却する機能を有するに過ぎないものであり、それ以上の機能を果たすものではなく、また、ペットボトル飲料の場合は、その冷却状態を保持することができないため、次第に冷たさが失われていくという問題があり、更に、ペットボトル飲料は上記冷却具とは別体であるため、別に携行する必要があった。
【０００６】
本発明はこのような背景の下になされたもので、冷凍・冷却した状態の保冷具と、適度に冷やした飲料を充填した飲料容器とを一体に携行することを可能にし、以て、夏季の外出時や野外活動等に際し、１つの保冷具で身体の冷却と水分補給とを行うことができ、また、保冷具と冷凍ないし冷却された飲料容器とが相互補足的に冷却し合うことを可能にし、以て、保冷具並びに飲料容器の冷却性の長時間保持を可能にする飲料容器を備えた保冷具を提供することを課題とする。
【課題を解決するための手段】
【０００７】
上記課題を解決するための請求項１に係る発明は、冷凍・冷却して用いる保冷剤を収納する保冷剤収納部と、冷やして飲む飲料の飲料容器を収納・保持する飲料容器収納・保持部とを一体に備えていることを特徴とする保冷具である。
【０００８】
一実施形態においては、前記保冷剤収納部と前記飲料容器収納・保持部は、１つの袋状体を区分けして配備される。
【０００９】
一実施形態においては、前記飲料容器収納・保持部は、前記保冷剤収納部の裏面に配設された袋部であり、他の実施形態においては、前記飲料容器収納・保持部は前記保冷剤収納部の裏面に配設された抱持バンドである。
【発明の効果】
【００１０】
本発明は上述したとおりであって、本発明に係る保冷具は、冷凍・冷却して用いる保冷剤を収納する保冷剤収納部と冷やして飲む飲料の飲料容器を収納・保持する飲料容器収納・保持部とを一体に備えていて、冷凍・冷却した保冷剤と飲料を添わせて携行することができるので、夏季の外出時等において、本保冷具１つで身体の冷却と水分補給とを行うことができ、しかも、保冷剤収納部と飲料容器収納・保持部とが背中合わせ状態となって、相互補足的に冷却し合うため、保冷剤と飲料の長時間に亘る冷却性保持が可能となる効果がある。
【図面の簡単な説明】
【００１１】
【図１】本発明に係る保冷具の一実施形態の正面図である。
【図２】図１におけるＡ−Ａ線断面拡大図である。
【図３】本発明に係る保冷具の他の実施形態を示す正面図及び背面図である。
【図４】図３に示す実施形態の側面図である。
【発明を実施するための形態】
【００１２】
本発明を実施するための形態について、添付図面に依拠して説明する。本発明に係る保冷具は、冷凍・冷却して用いる保冷剤を収納する保冷剤収納部と、冷やして飲む飲料の飲料容器を収納・保持する飲料容器収納・保持部とを一体に備えていることを特徴とするものである。
【００１３】
図１は、本発明に係る保冷具の第１の実施形態の正面図、図２は図１におけるＡ−Ａ線断面図であり、そこに示されるものは、１つの袋状体１を２つに区分けし、その一方を保冷剤収納部２とし、他方を飲料容器収納・保持部３としたものである。
【００１４】
保冷剤収納部２及び飲料容器収納・保持部３はストレートなものであってもよいが、図示した例のように円弧状に形成した方が、首等に当てやすいものとなるので、好ましいと言える。また、その場合、保冷剤収納部２の端部に突部７を設けることとしてもよい（図１参照）。この突部７は、鎖骨の上の窪みのような引っ込んだ部分を冷やすのに好適である。保冷剤収納部２には、密封された不凍液やゲル化剤等の一般的な保冷剤４が収納される。保冷剤４は一連のものであってもよいし、小分けしたものを連設したものであってもよい。
【００１５】
飲料容器収納・保持部３には、例えば、硬質樹脂製あるいは軟質樹脂製の細身のキャップ付き飲用容器５が収納される。図示した例における飲用容器５は、飲料容器収納・保持部３に対応する曲管状に形成されている。飲用容器５は反復使用するものであってもよいし、使い捨てのものであってもよい。また、使用者が使用に際して所望の飲料を充填するものであってもよいし、予め飲料が充填された専用の飲用容器５（使い捨て）を用いることとしてもよい。
【００１６】
この第１の実施形態の場合の飲用容器５は、通例、飲料容器収納・保持部３に出し入れ可能にされるが、自己充填タイプの場合は、飲料容器収納・保持部３内に固定状態にされることもある。
【００１７】
図３及び図４には、便宜上第２の実施形態と第３の実施形態とを含めた形で保冷具が示されている。そのうちの第２の実施形態は、保冷剤収納部２の裏面側に配設された袋部７を以て飲料容器収納・保持部３とするものであり（図の左半部参照）、第３の実施形態は、保冷剤収納部２に設けられた抱持バンドを以て、飲料容器収納・保持部３とするものである（図の右半部参照）。これら２つの実施形態における保冷剤収納部２は、首に回し得る程度の長尺なもので、両端部に面ファスナー８，９等の係着手段を備えたもので、好ましくは、全体が伸縮性素材製とされる。
【００１８】
図３及び図４に示される保冷剤収納部２は、複数のポケット１０を備えたもので、各ポケット１０に保冷剤４が収納される。この場合の保冷剤４としては、購入したアイスクリームやケーキ類の持ち帰り時に同梱される保冷パックを用いることができる。このように複数の小さなポケット１０を設けるのではなく、一連の長尺なポケットを設け、そこに、小分けした冷凍剤を連設したものを挿入するようにしてもよい。
【００１９】
第２の実施形態の場合に設けられる袋部７は、保冷剤収納部２の裏面側（ポケット１０設置面と反対面）に配置され、そこに飲用容器５が収納される。袋部７は、種々のサイズの飲用容器５を収納できるように、伸縮可能であることが好ましい。この場合の飲用容器５としては、市販のパウチパック製品を用いることができる。
【００２０】
第３の実施形態の場合に設けられる抱持バンドは、保冷剤収納部２の裏面側に配置され、それによって飲用容器５が抱持される。抱持バンドは輪状のものであってもよいし、分離されていて端部同士が係着し合う、一対のバンド１１，１２であってもよい。図示した例は後者であって、端部に面ファスナー１３，１４を縫着した一対のバンド１１，１２で構成されており、バンド１１，１２を外した状態で飲用容器５を配置し、バンド１１，１２を面ファスナー１３，１４を介して係着することで飲用容器５を抱持させる。この場合の抱持バンドも、袋部７の場合と同様の理由で、伸縮可能であることが好ましい。また、この場合の飲用容器５として、市販のパウチパック製品を用いることができることも同様である。
【００２１】
上記いずれの実施形態の場合においても、冷凍・冷却して用いる保冷剤を収納する保冷剤収納部２と冷やして飲食する飲料の容器を収納・保持する飲料容器収納・保持部３とが一体に備え付けられているので、飲料を冷凍・冷却した保冷剤に添わせて携行することができるので、夏季の外出時において、本保冷具１つで身体の冷却と水分補給とを行うことができる、極めて至便なものである。また、保冷剤収納部２と飲料容器収納・保持部３とが背中合わせ状態となるため、両部が相互補足的に冷却し合う。その結果、保冷剤と飲料の長時間に亘る冷却性保持が可能となるものであり、産業上の利用性は大である。
【符号の説明】
【００２２】
１              袋状体
２              保冷剤収納部
３              飲料容器収納・保持部
４              保冷剤
５              飲用容器
６              突部
７              袋部
８，９          面ファスナー
１０            ポケット
１１，１２      バンド
１３，１４      面ファスナー
【図１】
2018035978.tif 000003
【図２】
2018035978.tif 000004
【図３】
2018035978.tif 000005
【図４】
2018035978.tif 000006